(57)【要約】【課題】ホームページの更新は、作成に使用した作成ソフトや作成言語を習得していなければ容易に更新することができず、更新時は作成者に依頼すると更新費用や時間等の問題も発生したが、これを誰にでも簡単に更新することができる手段が課題となっていた。【解決手段】ブラウザ上に表示された公開トップページを開き、そのページの更新釦を押してログイン画面を表示させるか、更新者専用のログイン画面を開くかの手段でログイン画面を表示させ、ユーザーＩＤとパスワードを入力して更新者の認証を行い、認証が終了すると、更新トップ画面が表示され、公開トップ画面と同様のレイアウトの更新トップ画面上の各更新パーツに連結する更新釦を押して別画面の更新画面を表示し、更新が終了して更新釦を押せば自動的に各更新別画面は閉じられ、更新文章データはサーバーにアップロードされて更新を終了する。【選択図】図１
2006190015.tif 000002
【特許請求の範囲】
【請求項１】
インターネットの公開ページの更新作業において、公開画面と同様となる更新画面を表示し、該更新画面のテーブル若しくは文章及び画像単位に区別された区画単位を更新範囲とし、夫々に設けた修正ボタンを押すことで管理画面に入らずにポップアップ画面を表示し、該ポップアップ画面上の文字データ或いは画像データ或いはその他のデータを更新処理し、又、文字データ或いは画像データ或いはその他のデータを表示するレイアウトの更新も可能とし、各更新画面を閉じると同時にデータをサーバーにアップロードし、最終更新釦を押すと自動で作業画面が閉じてホームページの更新が行われる事を特徴とするホームページ更新方法。
【請求項２】
更新画面上の修正釦を押すと管理画面に入り、該管理画面上にある夫々の更新釦を押とポップアップ画面を表示し、文字データ或いは画像データ或いはその他のデータの更新終了後或いは文字データ或いは画像データ或いはその他のデータを表示するレイアウトの更新後にデータをサーバーにアップロードして管理画面に戻り、全ての更新が終了すると最終更新釦を押すことでホームページの更新が行われる事を特徴とする請求項１のホームページ更新方法。
【請求項３】
更新画面上のカート或いは問い合わせ釦を商品に連携させる段階で、メニューに登録させる商品コードを選択することでＨＴＭＬやタグの知識がなくても容易に更新できるホームページ更新方法。
【発明の詳細な説明】
【技術分野】
【０００１】
本発明は、ホームページの更新方法に関するものである。
【背景技術】
【０００２】
ホームページは、作成ソフトや作成言語のプログラミングで作成されているので、ホームページの更新は作成ソフトや作成言語を用いて行う方法が通常であった。
しかし、一度公開されたホームページは、公開後は更新しないことはなく、記載データの更新は日常行われている作業である。頻繁なホームページの更新は、小更新であっても作成ソフトや作成言語を理解する作業者に依頼することが一般であった。
【特許文献１】特開２００４−３０２７６０号公報
【発明の開示】
【発明が解決しようとする課題】
【０００３】
従来行われているホームページの更新は、ＨＴＭＬやＰｅｒｌ、ジャバ等のプログラミング言語によって作成されたページはこの言語を用いて修正更新されてきた。
また、容易にホームページを作成するソフトウエアもたくさん流通しているが、やはり更新する場合は容易であってもこのソフトソフトウエアを理解していなくては更新することはできなかった。
近年、ホームページ公開は専門業者に委託する場合が殆どであり、更新も作成業者に依頼することになる。
個人ホームページでも言えることであるが、商用ホームページにおける更新内容が僅かな更新である場合や、緊急を要する場合などでは、その都度に作成業者に依頼していては経費や時間等の制約から依頼者の意向に添えない場合もある。
そこで、ある程度の更新であれば、エンドユーザー側の端末において更新できる手段があればよい。しかも、コンピュータや作成言語等の予備知識がなくても、公開画面を見ながら更新作業を実施することができれば誰にでもホームページの更新ができるようになる。
通常、ホームページの更新は、公開されている文章や画像、その他のデータを更新することである。このホームページが、多くの様々なデータから構成されている場合な、少々の更新内容では更新されたことが一般対象者には不明瞭である。その為、更新日時を記載しているホームページもあるが、そこまでは閲覧されていないことは事実である。
インターネット上には、世界各国のホームページが無数にあるが、いくら素晴らしいホームページを作成してあっても、毎日同じページ画面を見ていると新鮮味を失ってしまい、注目されなくなる。
そこで、注目を引くために、定期的にホームページを更新するサイトもあるが、大幅な更新には相当の時間や費用を要するので、どのサイトでも安易に大幅な更新はできない。
そこで、難解なホームページ作成言語等を習得することなく、誰でも容易に公開ページの文章や画像やその他のデータを更新できると共に、文章や画像やその他のデータを表示するレイアウトまでも更新する方法が期待されていた。
【課題を解決するための手段】
【０００４】
ホームページを更新するには、先ず、ブラウザ上の更新する公開ページを開く。次に、公開ページ画面に配置されている更新釦を押す。或いは、自分専用の更新画面を表示させる為のログイン画面を開く。次に、ユーザーＩＤとパスワードを、ログイン画面の、夫々ユーザーＩＤ枠とパスワード枠に入力する。
ここで、釦を押す意味は、マウスポインタを釦の上に置き、クリックするという意味である。
更新釦を押す、或いはユーザーＩＤとパスワードを入力すると、更新画面に切り替わるが、この更新画面は公開画面と同様なレイアウト画面であるので、公開画面を見ながら更新するような感覚となる。
更新画面には、多くの文章や画像、そして、その他のデータがレイアウトされているが、夫々の部分にはアンカーが埋め込まれているので、それを押すとその更新画面が別画面として表示される。
更新が終了すると、更新釦を押し、別画面を閉じると同時に、更新データは自動的にサーバーにアップロードされてページの更新が終了する。
【０００５】
次に、本発明の特徴でもある機能を説明する。
従来の更新方法では、ページのレイアウトを行うためには、元の作成ソフトや言語を使用しなければ各部分のレイアウトを更新することができなかった。
本発明では、公開画面から更新画面に移動すると、表示画面上にある文章や画像その他のデータを表示する為のパーツ（部品）の配置を決めるメニューを表示する。
このメニューは、各パーツのレイアウトを自由に更新する機能を有するもので、視覚的に画面を更新することになる。
こうして、公開画面と同じ更新画面と見ながら、容易にページの更新ができるようになる。
【発明の効果】
【０００６】
本発明は、従来のホームページ更新方法は作成ソフトや作成言語を習得していない者にとっては自力で更新することができなかった。そこで更新するには、作成ソフトや作成言語を理解している人や業者に依頼していたが、更新費用や更新に費やす日時等の問題があった。
そこで、本発明は、パソコンをある程度でも使うことができる人であればホームページを簡単に更新することができるブラウザ上の更新方法である。公開画面と同様な更新画面を見ながらポップアップ画面上で夫々更新を実行すると、更新内容が直ぐに公開画面と同様なレイアウトになっている更新画面に反映されるので公開画面を見ているような感覚となる。
また、従来の更新方法では、更新は作成ソフトや言語、そして更新ツール等を使用していたが、本発明はブラウザ上で全ての更新が可能となることが特徴である。
しかも、従来のブラウザ上で更新が可能な更新ツール等で更新する際には、次の障害が起きる場合があった。
更新作業が終了して「戻る」釦を押した場合に、更新データがアップロードされない状態で全画面に戻ってしまって、更新作業が終了したはずが更新されていないという場合も生じていたが、本発明では、ポップアップ更新画面が閉じられると同時にアップロードが行われるのでこの様な更新ミスは起こり得ない。
また、更新画面と実際の公開画面のレイアウトが違う為、更新を確認するには公開画面を開く必要があり、作業が煩雑になりミスが発生していたが、本発明では公開画面と更新画面が同じレイアウトのため、確認のために公開画面を開く必要がなく、ミスは起こり得ない。
【発明を実施するための最良の形態】
【０００７】
ブラウザ上に表示されたログイン画面を開き認証を行う。認証が終了すると、更新トップ画面が表示される。更新トップ画面は、公開トップ画面と同様のレイアウトにしてあるので、公開トップ画面を見ながら更新することと同じ感覚となる。
更新トップ画面には、文章や画像その他のデータをレイアウトしたパーツから成り立っているが、夫々のパーツにはアンカーが埋め込まれ、パーツを押す（クリックする）ことで夫々のポップアップ式の更新画面を表示する。
文章の更新であれば、トップページの文章パーツをクリックすると、文章を更新するポップアップ画面が表示されて旧文章が表示される。そして、この画面上で更新が行われ、更新が終了すると、更新釦を押すと自動的に文章更新画面は閉じられ、更新文章データはサーバーにアップロードされて更新を終了する。
【０００８】
画像更新の場合も同様であるが、更新トップ画面上の更新したい画像をクリックすると、画像にリンクしているアンカーから画像を更新するポップアップ画面が表示される。
画像更新画面では、前もって登録されている画像から新画像を選択することで旧画像と新画像を交換する。
また、登録外の画像を希望する場合は、新規登録画像を保存しているディレクトリを指定して読み込み、ページ登録画像データとして保存登録する。そして、同様な手順を踏まえて旧画像と新画像を交換し、更新釦を押すと、自動的に画像更新画面は閉じられ、更新画像データはサーバーにアップロードされて更新を終了する。
また、その他のデータ等の更新も同様な手順で行う。
【０００９】
次に、レイアウトの更新について説明する。
従来のブラウザ上でのページ更新は、文章や画像やその他のデータの更新に限定していた。公開ページのレイアウトについては、ブラウザ上での更新は一般に行われないが、ページ作成ソフトや作成言語を使ってのページ更新は頻繁に行われていた。
しかし、ページ作成ソフトや作成言語を使用することなく、誰にでも容易にブラウザ上でレイアウト更新をする手段はなかったが、本発明ではこれを可能にしている。
先ず、ブラウザ上に表示されたログイン画面を開き、ユーザーＩＤとパスワードを入力して更新者の認証を行う。認証が終了すると、更新トップ画面が表示されるが、この画面には公開画面と同じレイアウト画面だけでなく、レイアウト更新メニューも表示される。このレイアウトメニューは、トップページ及びトップページからリンクするサブページにも及び、更に下位のページにも順次適用される。
レイアウトメニューは、表示画面上の文章や画像その他を表示するパーツの配置を更新する機能であり、レイアウトメニューから位置を指定してレイアウトを更新する機能である。
【００１０】
本発明の特徴は、ページ更新において管理画面を表示しない点であったが、従来の方法に従って管理画面を設ける手段も可能である。
ブラウザ上にログイン画面を開き、ユーザーＩＤとパスワードを入力して更新者の認証を行う。認証が終了すると、管理画面が表示される。
この管理画面は、文章や画像その他の項目を更新するメニュー形式となり、各更新項目をクリックすると、夫々の項目にはアンカーが埋め込まれ、項目を押す（クリックする）ことで夫々の更新画面を表示する。
更新が終了すると、更新釦を押すと自動的に文章更新画面は閉じられ、更新文章データはサーバーにアップロードされて更新を終了する。
【実施例１】
【００１１】
本発明の第１実施例を図１で説明する。
本図は、公開画面から更新作業を行う流れ図である。
メニュー枠（１）、文章枠（２）、画像枠（３）、商品枠（４）からなる公開画面（５）を例にとる。
メニュー枠（１）の各メニューを押す（クリックする）とリンクされている画面が表示される。
この公開画面（５）を更新するには、メニュー枠（１）には、更新釦（６ａ）が設けられているので、この更新釦（６ａ）を押すと次のログイン画面（７）に移行する。或いは、直接ブラウザ上にログイン画面を開くことも可能である。
ユーザーＩＤとパスワードを、ログイン画面（７）の夫々ＩＤ入力枠（８）とパスワード入力枠（９）に入力する。入力に間違いがなければＯＫ釦（１０）を押し、誤入力或いは更新を取り消す場合はキャンセル釦（１１ａ）を押す。ユーザーＩＤとパスワードを正しく入力してＯＫ釦（１０）を押し、更新作業者が正当なユーザーを認証されれば次の更新画面（１２）が表示される。
【００１２】
図２は、文章の更新作業を行う流れ図である。
更新画面（１２）は、メニュー枠（１）、文章枠（２）、画像枠（３）、商品枠（４）と、夫々の更新釦（６ａ）、（６ｂ）、（６ｃ）、（６ｄ）及びレイアウト更新釦（１３）から構成される。
文章枠（２）に連結する更新釦（６ｂ）を押すと、ポップアップ式の文章更新画面（１４）が表示される。文章更新画面（１４）の文章更新枠（１５）に更新文章を入力し、更新釦（６ｅ）を押すと、文章更新画面（１４）は閉じられ、同時に更新画面（１２）の文章枠（２）内の文章が入れ替わり、そして更新データは自動的にサーバーにアップロードされる。
【００１３】
図３は、画像の更新作業を行う流れ図である。
更新画面（１２）において、画像枠（３）に連結する更新釦（６ｃ）を押すと、ポップアップ式の画像更新画面（１６）（図４参照）が表示される。この画面上で、画像（１７）を選択して更新釦（６ｆ）を押すと、文章の更新作業と同様に画像更新画面（１６）が閉じられ、更新画面（１２）の画像（１７）に更新される。そして同時に、更新データは自動的にサーバーにアップロードされる。
【００１４】
図４は、画像更新画面を示す図である。
ポップアップ式の画像更新画面（１６）は、登録画像（１８）、新規登録釦（１９ａ）、削除釦（２０）、更新釦（６ｆ）等より構成される。
公開画面には、画像（２１）が表示されているが、この画像（２１）を差し替える画像（１７）と交換する場合は、差し替える画像（１７）を押して選択し、更新釦（６ｆ）を押せばよい。すると、画像更新画面（１６）が閉じられると同時に、更新データは自動的にサーバーにアップロードされ、更新画面（１２）上に画像（１７）の交換が行われる。
画像更新画面（１６）の登録画像（１８）を追加する場合は、新規登録画像を保存しているディレクトリをプルダウン欄（２２ａ）から指定して新規登録釦（１９ａ）を押すと追加登録される。
また、不要になった画像を削除する場合は、その画像を押して選択し、削除釦（２０ａ）を押せば削除される。
画像更新の手段は、上記手段の他、登録画像をメニュー形式で登録し、必要は画像を選択する方法等があるが、方法については限定しない。
【００１５】
図５は、商品紹介を示す図である。
更新画面（１２）の商品枠（４）に連結する更新釦（６ｄ）を押すと、本図に示すポップアップ式の商品更新画面（２３）が表示される。
この画面は一例に過ぎないが、商品マスター欄（２４）には、商品コード、品名、価格、説明文が記載されている。その下には、更新釦（６ｇ）とキャンセル釦（１１ｂ）を設ける。登録商品の例えば価格を更新するためには、商品マスター欄（２４）の指定商品を選択し、その価格値を書き換えた後で更新釦（６ｇ）を押す。更新途中で更新を中断するばあいにはキャンセル釦（１１ｂ）を押す。更に、削除する商品があればそれを選択して削除釦（２０ｂ）を押せば商品マスター欄（２４）から削除することができる。
次に、新規登録の場合は、新規登録欄（２５）に必要データを入力して新規登録釦（１９ｂ）を押すと、商品マスター欄（２４）へ登録される。ここで、新規登録の際、中断する場合はキャンセル釦（１１ｃ）を押せばよい。
全ての商品について作業が終了すると、更新釦（６ｈ）を押せば更新画面（１２）上で商品枠（４）のデータが更新されて商品更新画面（２３）は閉じられる。それと同時に、更新データは自動的にサーバーにアップロードされる。
【００１６】
図６は、レイアウト更新画面を示す図である。
公開画面（５）のレイアウトを更新する場合は、更新画面（１２）上のレイアウト釦（１３）を押すとポップアップ式のレイアウト更新画面（２６）が表示される。
更新画面（１２）上の配置される文章枠（２）、画像枠（３）、商品枠（４）、メニュー枠（１）等の各パーツを区画したエリアに再配分することでレイアウトの更新を行う。
本実施例では、各パーツのエリアをプルダウンメニュー（２２ｂ）から選択して再配分し、更新釦（６ｉ）を押すとレイアウトが更新されるが、更新を中断する場合はキャンセル釦（１１ｄ）を押す。
こうしてレイアウトの更新が終了すると、更新画面（１２）のレイアウトが更新される。この更新後の更新画面（２７）を図７に示す。そして、レイアウト更新画面（２６）が閉じられ、同時に更新データは自動的にサーバーにアップロードされる。
【実施例２】
【００１７】
本発明の第２実施例を図８で説明する。
本第２実施例は、公開画面（１２）の更新を行うにはメニュー枠（１）の更新釦（６ａ）を押すと、先ずログイン画面（７）が表示され、ユーザーＩＤとパスワードを入力してユーザー認証が終了すると管理画面（２８）に入る。或いは、直接ブラウザ上にログイン画面を開き、ユーザーＩＤとパスワードを入力してユーザー認証が終了すると管理画面（２８）に入ることも可能である。
この管理画面（２８）は、ホーム管理枠（２９）に各更新パーツがメニュー形式として記載され、例えば文章を更新する場合は、文章更新に関連する更新釦（６ｊ）を押すと、第１実施例に示した文章更新画面（１４）が表示され、その上で更新して更新すると同時に更新データは自動的にサーバーにアップロードされて管理画面（２８）に戻る。
他のパーツの更新も同様に行う。
最後に、全ての更新が完了するとホーム管理枠（２９）の更新釦（６ｋ）を押せば公開画面の更新が完了する。
【産業上の利用可能性】
【００１８】
本発明は、ホームページを更新する場合、パソコンをある程度でも使うことができる人であれば作成ソフトや作成言語を習得していない人であってもブラウザ上でホームページを簡単に更新することができるので、利用に当たって次の可能性が生じる。
従来のホームページ作成や更新は、主に作成ソフトや作成言語の修練者に依頼していたが、大幅な更新でなければ本発明の手段を使えば誰にでも可能となる。
それは、ホームページの更新は公開画面と同じレイアウト画面のブラウザ上で全ての更新作業を行うので、作成ソフトの準備や作成言語の習得は不要となり、非常に容易な更新方法となっている。
パソコンの知識が乏しい作業者であっても更新作業がブラウザ上で容易にできるという特長がある。
【００１９】
ユーザーのホームページを更新する場合は、今までは作成者に依存していたが、それでは更新費用や更新期日の問題が生じる。大掛かりな更新であれば、その方法が良いだろうが、簡単な更新の場合にはユーザー側で対応する方が手っ取り早い。
本発明は、公開画面を見ながらの作業であるので、更新後すぐに公開画面を閲覧することができるので、手軽な更新手段として社会に受け入れられる方法と言える。
【図面の簡単な説明】
【００２０】
【図１】本発明の実施例の更新開始を示す流れ図である。（実施例１）
【図２】本発明の実施例の文章更新を示す流れ図である。（実施例１）
【図３】本発明の実施例の画像更新を示す流れ図である。（実施例１）
【図４】本発明の実施例の画像更新画面を示す図である。（実施例１）
【図５】本発明の実施例の商品更新画面を示す図である。（実施例１）
【図６】本発明の実施例のレイアウト更新画面を示す図である。（実施例１）
【図７】本発明の実施例のレイアウト更新後を示す図である。（実施例１）
【図８】本発明の実施例の更新開始を示す流れ図である。（実施例２）
【符号の説明】
【００２１】
１        メニュー枠
２        文章枠
３        画像枠
４        商品枠
５        公開画面
６ａ      更新釦
６ｂ      更新釦
６ｃ      更新釦
６ｄ      更新釦
６ｅ      更新釦
６ｆ      更新釦
６ｇ      更新釦
６ｈ      更新釦
６ｉ      更新釦
６ｊ      更新釦
６ｋ      更新釦
７        ログイン画面
８        ＩＤ入力枠
９        パスワード入力枠
１０      ＯＫ釦
１１ａ    キャンセル釦
１１ｂ    キャンセル釦
１１ｃ    キャンセル釦
１１ｄ    キャンセル釦
１２      更新画面
１３      レイアウト更新釦
１４      文章更新画面
１５      文章更新枠
１６      画像更新画面
１７      画像
１８      登録画像
１９ａ    新規登録釦
１９ｂ    新規登録釦
２０ａ    削除釦
２０ｂ    削除釦
２１      画像
２２ａ    プルダウン欄
２２ｂ    プルダウンメニュー
２３      商品更新画面
２４      商品マスター欄
２５      新規登録欄
２６      レイアウト更新画面
２７      更新画面
２８      管理画面
２９      ホーム管理枠
【図１】
2006190015.tif 000003
【図２】
2006190015.tif 000004
【図３】
2006190015.tif 000005
【図４】
2006190015.tif 000006
【図５】
2006190015.tif 000007
【図６】
2006190015.tif 000008
【図７】
2006190015.tif 000009
【図８】
2006190015.tif 000010